(57)【要約】【課題】下地材に貼った紙材の皺を利用して、これまでにない模様を容易に得ることができる塗り壁の施工方法および塗り壁構造を提供する。【解決手段】壁の下地材１１の表面に、貼付剤１４で囲まれた非貼付領域１２ａを残すよう、貼付剤１４で紙材１２を貼る。その紙材１２の上から塗り壁材１３を塗る。このとき、紙材１２が塗り壁材１３の水分を吸収して形成される皺に対応した、筋状の模様１５が形成されるよう塗り壁材１３を塗る。貼付剤１４は、コンニャク粉とデンプンとにかわとを含む糊材から成る。塗り壁材１３は、その糊材と、ゼオライト、珪藻土または繊維素繊維との混合物から成る。【選択図】図１
2012036656.tif 000002
【特許請求の範囲】
【請求項１】
壁の下地材の表面に、貼付剤で非貼付領域を囲むよう吸水性の紙材を貼り、前記紙材の上に水を含む塗り壁材を塗り、前記紙材に前記塗り壁材の水分を吸収させて皺を形成させ、前記塗り壁材から前記皺を浮き出させることを、特徴とする塗り壁の施工方法。
【請求項２】
前記貼付剤はコンニャク粉とデンプンとにかわと水とを含む糊材から成り、前記塗り壁材は前記糊材と、ゼオライト、珪藻土または繊維素繊維との混合物から成ることを、特徴とする請求項１記載の塗り壁の施工方法。
【請求項３】
前記下地材の表面に貼った前記紙材の上に模様用貼付材を貼り、前記塗り壁材を前記紙材および前記模様用貼付材の上に塗ることを、特徴とする請求項２記載の塗り壁の施工方法。
【請求項４】
壁の下地材と、
皺を有し、前記下地材の表面に貼付剤で非貼付領域を囲むよう貼られた吸水性の紙材と、
前記紙材の上に前記皺を浮き出させて塗られた塗り壁材とを有することを、
特徴とする塗り壁構造。
【請求項５】
前記紙材の上に貼られた模様用貼付材を有し、前記塗り壁材は前記紙材および前記模様用貼付材の上に塗られていることを、特徴とする請求項４記載の塗り壁構造。
【発明の詳細な説明】
【技術分野】
【０００１】
本発明は、塗り壁の施工方法および塗り壁構造に関する。
【背景技術】
【０００２】
従来の塗り壁の施工方法として、不織布または紙から成る壁側繊維質層および表側繊維質層と、それらの間に設けられた防湿層とを備えた壁面下地処理用シートを壁面に貼り合わせ、その表面から仕上げ塗り材を塗工する方法（例えば、特許文献１参照）や、下地の表面に防水シートを接着し、その表面に湿式塗り壁を施工する方法（例えば、特許文献２参照）、薄い柔軟な網材の表裏両面に紙シートを接着一体化した補強シートを下地の表面に貼り付け、その上から壁材を施工する方法（例えば、特許文献３参照）がある。
【先行技術文献】
【特許文献】
【０００３】
【特許文献１】特開２００８−１５６８８２号公報
【特許文献２】実用新案登録第３１５２４７０号公報
【特許文献３】特開２００８−３８５２５号公報
【発明の概要】
【発明が解決しようとする課題】
【０００４】
特許文献１乃至３に記載の塗り壁の施工方法は、工期の短縮、仕上げ時のムラの防止、強度の向上などを目的として、下地材の表面にシート材を貼り、その上から塗り壁材を塗っている。また、塗り壁材を塗ったときにシート材に皺がよらないよう構成されている。このように、従来の塗り壁の施工方法には、シート材の皺を利用するものは存在しなかった。
【０００５】
本発明は、このような課題に着目してなされたもので、下地材に貼った紙材の皺を利用して、これまでにない模様を容易に得ることができる塗り壁の施工方法および塗り壁構造を提供することを目的としている。
【課題を解決するための手段】
【０００６】
上記目的を達成するために、本発明に係る塗り壁の施工方法は、壁の下地材の表面に、貼付剤で非貼付領域を囲むよう吸水性の紙材を貼り、前記紙材の上に水を含む塗り壁材を塗り、前記紙材に前記塗り壁材の水分を吸収させて皺を形成させ、前記塗り壁材から前記皺を浮き出させることを、特徴とする。本発明に係る塗り壁の施工方法では、皺に対応した模様が形成されることが好ましい。
【０００７】
本発明に係る塗り壁の施工方法では、壁の下地材の表面に貼った紙材の上から塗り壁材を塗ることにより、紙材が塗り壁材の水分を吸収する。このとき、貼付剤の位置では、紙材が下地材に貼り付けられているため、紙材が水分で延びず下地材に固定されたままであるが、非貼付領域では、紙材が下地材に固定されておらず、紙材と下地材との間に空気層が存在しているため、紙材が水分で延びる。非貼付領域は貼付剤で囲まれているため、紙材の延びが非貼付領域の内部に留まり、紙材に皺ができる。紙材の皺が寄った位置では、塗り壁材が薄くなったり、塗り壁材が全く残らなかったりするため、紙材の皺に対応した筋状の模様が形成される。このように、本発明に係る塗り壁の施工方法は、下地材に貼った紙材の皺を利用して、これまでにない模様を容易に得ることができる。
【０００８】
形成される模様が紙材の色を反映するため、使用する紙材の色を選択することにより、任意の色の模様を得ることができる。また、壁の場所によって模様の色を変えることもできる。紙材に蛍光色を使用することにより、暗くしたとき蛍光を発する模様を得ることもできる。紙材の大きさによって、形成される皺の幅や長さが変わるため、使用する紙材の大きさを選択することにより、模様の大きさを調整することができる。
【０００９】
本発明に係る塗り壁の施工方法では、貼付剤の位置では紙材に皺ができないため、筋状の模様も形成されない。このため、貼付剤の位置を変えることにより、筋状の模様を形成する範囲を任意に調製することができる。非貼付領域を残して紙材を下地材に貼るため、全面で紙材を貼る場合と比べて、紙材とともに塗り壁材をはがしやすい。このため、壁の修理やリフォームなどが容易である。
【００１０】
本発明に係る塗り壁の施工方法では、紙材の繊維の方向に沿って模様が形成されるため、自然で審美性に優れた模様が得られるよう、紙材の繊維方向に沿って塗り壁材を塗ることが好ましい。また、模様が塗りつぶされないよう、１回塗りで塗り壁材を塗ることが好ましい。塗り壁材を塗るときには、コテや刷毛、ローラーなど、いかなる道具を使ってもよい。塗り壁材に蛍光塗料が含まれていてもよい。紙材の方向を変えて貼ることにより、筋状の模様の方向を調製することができる。
【００１１】
紙材は、板紙よりも薄く、水分を含んでも破損しないものが好ましく、例えばコピー紙のような上質紙、ラシャ紙、紀州紙、和紙、画用紙、折り紙などが好ましい。貼付剤は、糊材や両面テープなど、紙材を下地材に貼付可能であれば、いかなるものであってもよい。貼付剤として糊材を使用する場合には、紙材が下地材に確実に固定されるよう、貼付剤が乾燥してから塗り壁材を塗ることが好ましい。
【００１２】
本発明に係る塗り壁の施工方法で、前記貼付剤はコンニャク粉とデンプンとにかわと水とを含む糊材から成り、前記塗り壁材は前記糊材と、ゼオライト、珪藻土または繊維素繊維との混合物から成ることが好ましい。この場合、塗り壁材が吸放湿性に特に優れており、漆喰や珪藻土と比べて、筋状の模様が形成されやすく、ひび割れなども発生しない。塗り壁材および貼付剤に水を含ませて湿潤状態にすることにより、スクレーパー等により、下地材を傷つけることなく、容易に剥がすことができる。このため、下地材を再利用することができる。また、貼付剤が天然素材の食品添加物から成っているため、廃棄したとしても環境に悪影響を与えず、環境への負荷が小さい。
【００１３】
本発明に係る塗り壁の施工方法では、前記下地材の表面に貼った前記紙材の上に模様用貼付材を貼り、前記塗り壁材を前記紙材および前記模様用貼付材の上に塗ってもよい。この場合、模様用貼付材を貼り付けた紙材の箇所には皺が生じないため、その箇所に模様用貼付材による模様を形成することができる。
【００１４】
本発明に係る塗り壁構造は、壁の下地材と、皺を有し、前記下地材の表面に貼付剤で非貼付領域を囲むよう貼られた吸水性の紙材と、前記紙材の上に前記皺を浮き出させて塗られた塗り壁材とを有することを、特徴とする。
【００１５】
本発明に係る塗り壁構造は、本発明に係る塗り壁の施工方法により容易に施工される。本発明に係る塗り壁構造は、下地材に貼られた紙材の皺を利用した、これまでにない模様を有しており、新鮮で、優れた審美性を有している。
【００１６】
本発明に係る塗り壁構造は、前記紙材の上に貼られた模様用貼付材を有し、前記塗り壁材は前記紙材および前記模様用貼付材の上に塗られていてもよい。この場合、模様用貼付材を貼り付けた紙材の箇所には皺が生じないため、その箇所に模様用貼付材による模様が形成されている。
【発明の効果】
【００１７】
本発明によれば、下地材に貼った紙材の皺を利用して、これまでにない模様を容易に得ることができる塗り壁の施工方法および塗り壁構造を提供することができる。
【図面の簡単な説明】
【００１８】
【図１】本発明の実施の形態の塗り壁構造を示す斜視図である。
【図２】本発明の実施の形態の塗り壁構造の、塗り壁材の塗工直後の状態を示す縦断面図である。
【発明を実施するための形態】
【００１９】
以下、図面に基づき、本発明の実施の形態について説明する。
図１および図２は、本発明の実施の形態の塗り壁構造を示している。
図１および図２に示すように、本発明の実施の形態の塗り壁構造１０は、壁の下地材１１と紙材１２と塗り壁材１３とを有している。
【００２０】
紙材１２は、板紙よりも薄い、色付きの吸水性の上質紙から成っている。紙材１２は、側縁に沿って貼付剤１４が塗られ、貼付剤１４により下地材１１の表面に貼られている。紙材１２は、中央部に、側縁の貼付剤１４で囲まれた非貼付領域１２ａを残すよう貼られている。貼付剤１４は、コンニャク粉とデンプンとにかわと水とを含む糊材から成っている。この糊材の固形分の水に対する混合比率は０．６〜１２質量％が好ましく、１．７〜２．２質量％が特に好ましい。水全体に対するコンニャク粉の混合比率は０．２〜２質量％、デンプンの混合比率は０．２〜６質量％、にかわの混合比率は０．２〜６質量％が好ましく、コンニャク粉の混合比率は０．４質量％前後、デンプンの混合比率は０．６７〜２質量％、にかわの混合比率は０．４７〜１．８質量％が特に好ましい。なお、貼付剤１４は、両面テープから成っていてもよい。
【００２１】
塗り壁材１３は、白色で、貼付剤１４と同じ成分の糊材と、ゼオライト、珪藻土または繊維素繊維との混合物から成っている。糊材に対する骨材の混合割合は、１０〜２００質量％が好ましい。骨材がゼオライトの場合、糊材に対するゼオライトの混合比率は４０〜２００質量％が好ましく、特に６７〜８７質量％が特に好ましい。骨材が珪藻土の場合、糊材に対する珪藻土の混合比率は２０〜１００質量％が好ましく、特に４３質量％前後が特に好ましい。骨材が繊維素繊維の場合、糊材に対する繊維素繊維の混合比率は１０〜５０質量％が好ましく、特に２０質量％前後が特に好ましい。塗り壁材１３は、糊材とゼオライトから成っても、糊材と珪藻土から成っても、糊材と繊維素繊維とから成っても、糊材とゼオライトと珪藻土と繊維素繊維とから成ってもよい。塗り壁材１３は、下地材１１に貼られた紙材１２の上に皺を浮き出させて塗られている。
図１および図２に示すように、塗り壁構造１０は、紙材１２が塗り壁材１３の水分を吸収して形成される皺に対応した筋状の模様１５を有している。筋状の模様１５は、紙材１２の色と同じ色を有している。
【００２２】
塗り壁構造１０は、本発明の実施の形態の塗り壁の施工方法により容易に施工される。本発明の実施の形態の塗り壁の施工方法では、まず、壁の下地材１１の表面に、貼付剤１４で非貼付領域１２ａを囲むようにして紙材１２を貼る。貼付剤１４が乾燥し、紙材１２が下地材１１に確実に固定されたのを確認した後、紙材１２の上に水を含む塗り壁材１３を塗る。このとき、紙材１２の繊維方向に沿って、コテを使用して１回塗りで塗り壁材１３を塗る。なお、貼付剤１４は、気温が２７℃程度のとき２時間程度、気温が約２０℃のとき半日程度で乾燥する。
【００２３】
図２に示すように、塗り壁材１３を塗ると、紙材１２が塗り壁材１３の水分を吸収する。このとき、貼付剤１４の位置では、紙材１２が下地材１１に貼り付けられているため、紙材１２が水分で延びず下地材１１に固定されたままであるが、非貼付領域１２ａでは、紙材１２が下地材１１に固定されておらず、紙材１２と下地材１１との間に空気層１６が存在しているため、紙材１２が水分で延びる。非貼付領域１２ａは貼付剤１４で囲まれているため、紙材１２の延びが非貼付領域１２ａの内部に留まり、紙材１２に皺ができる。紙材１２の皺が寄った位置では、塗り壁材１３が薄くなったり、塗り壁材１３が落ちて全く残らなかったりするため、塗り壁材１３から皺を浮き出させ、紙材１２の皺に対応した筋状の模様１５が形成される。このように、本発明の実施の形態の塗り壁の施工方法は、下地材１１に貼った紙材１２の皺を利用して、新鮮で、優れた審美性を有する、これまでにない模様１５を容易に得ることができる。
【００２４】
形成される模様１５が紙材１２の色を反映するため、使用する紙材１２の色を選択することにより、任意の色の模様１５を得ることができる。また、壁の場所によって模様１５の色を変えることもできる。紙材１２に蛍光色を使用することにより、暗くしたとき蛍光を発する模様１５を得ることもできる。紙材１２の大きさによって、形成される皺の幅や長さが変わるため、使用する紙材１２の大きさを選択することにより、模様１５の大きさを調整することができる。
【００２５】
本発明の実施の形態の塗り壁の施工方法および塗り壁構造１０では、貼付剤１４の位置では紙材１２に皺ができないため、筋状の模様１５も形成されない。このため、貼付剤１４の位置を変えることにより、筋状の模様１５を形成する範囲を任意に調製することができる。また、図１に示すように、非貼付領域１２ａ内の任意の位置で、貼付剤１４等で紙材１２と下地材１１とを接着することにより、筋状の模様１５が形成されない範囲を設けることができる。
【００２６】
本発明の実施の形態の塗り壁の施工方法および塗り壁構造１０では、紙材１２の繊維の方向に沿って模様１５が形成されるため、紙材１２の繊維方向に沿って塗り壁材１３を塗ることにより、自然で審美性に優れた模様１５が得られる。１回塗りで塗り壁材１３を塗ることにより、模様１５が塗りつぶされるのを防ぐことができる。紙材１２の方向を変えて貼ることにより、筋状の模様１５の方向を調製することができる。
【００２７】
漆喰や珪藻土を使用して塗工した場合には、筋状の模様１５が形成されにくく、乾燥後にひび割れが発生しやすいのに対し、塗り壁材１３は吸放湿性に特に優れているため、筋状の模様１５が形成されやすく、ひび割れなども発生しない。
【００２８】
非貼付領域１２ａを残して紙材１２を下地材１１に貼るため、全面で紙材１２を貼る場合と比べて、紙材１２とともに塗り壁材１３をはがしやすい。また、塗り壁材１３および貼付剤１４に水を含ませて湿潤状態にすることにより、スクレーパー等により、下地材１１を傷つけることなく、容易に剥がすことができる。このため、壁の修理やリフォームなどが容易であり、下地材１１を再利用することもできる。貼付剤１４が天然素材の食品添加物から成っているため、廃棄したとしても環境に悪影響を与えず、環境への負荷が小さい。
【００２９】
本発明の実施の形態の塗り壁の施工方法および塗り壁構造１０は、新築やリフォームの現場塗りの壁面や、工場などであらかじめ製造される壁ボード、ふすまなどの建具の表面などに利用することができる。また、一般住宅の他に、店舗等の内装にも適している。
【００３０】
なお、図１に示すように、下地材１１の表面に貼った紙材１２の上に模様用貼付材１７を貼り、塗り壁材１３を紙材１２および模様用貼付材１７の上に塗ってもよい。模様用貼付材１７には、花柄、動物柄、その他任意の形状のものを用いることができる。模様用貼付材１７は、紙材１２の上に裏面全体が貼り付けられていても、外周のみ貼り付けられていてもよい。
この場合、模様用貼付材１７を貼り付けた紙材１２の箇所には皺が生じないため、その箇所に模様用貼付材１７による模様を形成することができる。
【符号の説明】
【００３１】
１０  塗り壁構造
１１  下地材
１２  紙材
１２ａ  非貼付領域
１３  塗り壁材
１４  貼付剤
１５  模様
１６  空気層
１７  模様用貼付材
【図１】
2012036656.tif 000003
【図２】
2012036656.tif 000004